(57)【要約】【課題】耐久性があり、かつ簡易な構成のリール清掃装置を備える遊技機を提供する。【解決手段】遊技機１０は、外周面に図柄を配列して回転するリール２６Ｌ・２６Ｃ・２６Ｒを有するリールユニット５０を備える。リール２６Ｌ・２６Ｃ・２６Ｒの外周面を清掃する清掃装置８０は、各リール２６Ｌ・２６Ｃ・２６Ｒの外周面に当接する回転ブラシ８１Ｌ・８１Ｃ・８１Ｒと、回転ブラシ８１Ｌ・８１Ｃ・８１Ｒを同軸上に配列して回転可能に保持する軸棒８２と、一端部が軸棒の両端部に連結し、他端部がリールユニット５０の両翼に回動可能に連結する一対のアーム８３Ａ・８３Ｂと、を有する。回転ブラシ８１Ｌ・８１Ｃ・８１Ｒは、リール２６Ｌ・２６Ｃ・２６Ｒの外周面に一定の荷重を与えて当接し、リール２６Ｌ・２６Ｃ・２６Ｒの外周面の回転が摩擦伝動されて従動回転する。【選択図】図３
2009028241.tif 000002
【特許請求の範囲】
【請求項１】
外周面に図柄を配列して回転する複数のリールを有するリールユニットを備える遊技機であって、
前記複数のリールの外周面を清掃する清掃装置を備え、
前記清掃装置は、前記リールの外周面に当接する複数の回転ブラシと、これらの回転ブラシを同軸上に配列して回転可能に保持する軸棒と、一端部が前記軸棒の両端部に連結し、他端部が前記リールユニットの両翼に回動可能に連結する一対のアームと、を有し、
前記回転ブラシは、前記リールの外周面に一定の荷重を与えて当接し、当該リールの外周面の回転が摩擦伝動されて従動回転するように配置されていることを特徴とする遊技機。
【請求項２】
前記回転ブラシの外周には、比較的短い多数の繊維を放射状に植設していることを特徴とする請求項１記載の遊技機。
【請求項３】
前記回転ブラシの外周には、比較的短い多数の繊維を螺旋状に植設していることを特徴とする請求項１記載の遊技機。
【請求項４】
外周面に図柄を配列して回転する複数のリールを有するリールユニットを備える遊技機であって、
前記複数のリールの外周面を清掃する清掃装置を備え、
前記清掃装置は、前記リールの外周面に当接する複数の回転ローラと、この回転ローラの外周に巻回された清掃シートと、前記複数の回転ローラを同軸上に配列して回転可能に保持する軸棒と、一端部が前記軸棒の両端部に連結し、他端部が前記リールユニットの両翼に回動可能に連結する一対のアームと、を有し、
前記回転ローラは、前記リールの外周面に一定の荷重を与えて当接し、当該リールの外周面の回転が摩擦伝動されて従動回転するように配置されていることを特徴とする遊技機。
【請求項５】
前記清掃シートは、洗浄成分を含侵していることを特徴とする請求項４記載の遊技機。
【発明の詳細な説明】
【技術分野】
【０００１】
本発明は、遊技機に関する。特に、複数の図柄を変動表示する変動表示部として、機械的に回転駆動される複数のリールを有する変動表示装置（以下、リールユニットという）を備える遊技機であって、これらのリールの外周面を清掃する清掃装置を備える遊技機の構造に関する。
【背景技術】
【０００２】
例えば、遊技機の一種であるパチスロ機やスロットマシンは、外周面に所定間隔で表示された複数種類の図柄を有する図柄列が描かれた複数のリールを回転自在に横方向に並列配置している。そして、複数の図柄を変動表示するリールユニットを遊技機の本体の中央部に配置している。遊技者は、この本体の正面の表示窓を通して、各リールの図柄をそれぞれ観察できる。
【０００３】
一方、遊技機が配置された遊技ホールにおいては、たばこの煙や埃などがリールの図柄表示面に付着するので、リールの図柄の視認性を損なわないように、定期的に従業員がリールの周囲面を手動で清掃しなければならないという不具合があった。
【０００４】
このような不具合に対して、たばこの煙や埃などの多い遊技ホールにおいても、人手がかかる煩雑な清掃作業を要することなく遊技機の図柄表示面に付着したヤニなどを常時遊技中に除去して、図柄の視認性を良好に保持するためのメンテナンス性に優れる遊技機が発明されている（例えば、特許文献１参照）。
【０００５】
特許文献１による遊技機は、リールユニットが複数のリールの図柄表示面にそれぞれ当接して、図柄表示面を清掃するリール面清掃部を備えている。又、リール面清掃部は、その先端に布又はブラシからなるリールクリーナを備えており、リールユニットに着脱自在に取り付けられている。更に、リール面清掃部は、図柄表示面に付着した埃やごみを除去するエア吹き付けノズル又はエア吸引ノズルを備えている。又、リール面清掃部は、その先端をリールの図柄表示面に対して進退させる駆動部を備えている。
【０００６】
又、前記と同様な不具合に対して、表示窓の内部の汚れを検出したときに、この表示窓の内面をリールから突出する第１ブラシで清掃する筐体清掃用駆動装置（以下、第１駆動装置という）を備える遊技機が発明されている（例えば、特許文献２参照）。
【０００７】
特許文献２による遊技機は、リールの外周面に接触して清掃するリール清掃部材（以下、第２ブラシという）と、第２ブラシがリールの外周面に接触することが可能になる接触位置と、この接触位置から退避してリールの外周面に接触不可能になる接触不能位置との間で第２ブラシを移動させるリール清掃用駆動装置（以下、第２駆動装置という）と、を設けている。
【０００８】
そして、特許文献２による遊技機は、制御装置が、第１ブラシを退避位置に移動させたときには、第２ブラシを接触位置に移動させるように第１及び第２駆動装置を制御し、第１ブラシを接触不能位置に移動させたときには、第２ブラシを突出位置に移動させるように第１及び第２駆動装置を制御するので、リールの外周面を清潔に保つことが可能になり、図柄の視認性を向上させることができる、としている。
【特許文献１】特開２００５−３３４１６６号公報
【特許文献２】特開２００５−２３７４４５号公報
【発明の開示】
【発明が解決しようとする課題】
【０００９】
特許文献１又は特許文献２では、ブラシに植設された多数の繊維がリールの回転中心に向かうように配置されている。そして、これら多数の繊維の先端がリールの外周面を圧接するように構成されている。前記の構成では、比較的短期間に多数の繊維が永久変形して、その清掃機能が損なわれることが懸念される。すなわち、清掃装置を用いてリールの外周面を清掃するに当り、比較的長期の使用に耐える清掃装置が求められている。
【００１０】
特許文献１の内の一つの実施例、又は特許文献２では、ソレノイドを用いてブラシを進退させている。このように、ブラシを駆動する駆動装置を構成することは、遊技機のコストアップの要因となるばかりでなく、その構造が複雑になるという問題がある。したがって、電力などの外部エネルギを必要とする駆動装置を用いることなく、簡易な構成のリールの外周面を清掃する清掃装置が求められている。そして、以上のことが、本発明の課題といってよい。
【００１１】
本発明は、このような問題に鑑みてなされたものであり、リールの外周面を清掃する清掃装置であって、耐久性があり、かつ簡易な構成の清掃装置を備える遊技機を提供することを目的とする。
【課題を解決するための手段】
【００１２】
本発明者は、上記目的を達成するため、リールの外周面に直接接触するように回転ブラシ又は回転ローラを配置し、この回転ブラシ又は回転ローラがリールの外周面に圧接又は離間可能となるように構成することにより、前述の課題が解決可能なことを見出し、これに基づいて、以下のような新たな清掃装置を備える遊技機を発明するに至った。
【００１３】
（１）  外周面に図柄を配列して回転する複数のリールを有するリールユニットを備える遊技機であって、前記複数のリールの外周面を清掃する清掃装置を備え、前記清掃装置は、前記リールの外周面に当接する複数の回転ブラシと、これらの回転ブラシを同軸上に配列して回転可能に保持する軸棒と、一端部が前記軸棒の両端部に連結し、他端部が前記リールユニットの両翼に回動可能に連結する一対のアームと、を有し、前記回転ブラシは、前記リールの外周面に一定の荷重を与えて当接し、当該リールの外周面の回転が摩擦伝動されて従動回転するように配置されていることを特徴とする遊技機。
【００１４】
（１）の発明による遊技機は、リールユニットと清掃装置を備えている。リールユニットは、外周面に図柄を配列して回転する複数のリールを有している。清掃装置は、複数のリールの外周面を清掃する。そして、清掃装置は、複数の回転ブラシ、軸棒、及び一対のアームを有している。回転ブラシは、リールの外周面に当接する。軸棒は、複数の回転ブラシを同軸上に配列して回転可能に保持している。一対のアームは、一端部が軸棒の両端部に連結し、他端部がリールユニットの両翼に回動可能に連結している。回転ブラシは、リールの外周面に一定の荷重を与えて当接し、リールの外周面の回転が摩擦伝動されて従動回転するように配置されている。
【００１５】
（１）の発明による遊技機は、例えば、筐体を開閉する前面扉を備えており、この筐体内部にリールユニットが配置される。一般に、筐体内部は棚で上下に仕切られており、この棚にリールユニットが配置される。又、前面扉に設けられる表示窓に対向するように、筐体内部にリールユニットを配置している。表示窓を介して、複数のリールに表示された複数種類の図柄を観察できる。
【００１６】
例えば、回転ブラシは、直円柱状のローラの外周に合成樹脂製の多数の繊維が植設されてよく、外観として、直円柱状に形成される。回転ブラシはリールの外周面に当接するとは、多数の繊維の先端が弾性をもって、リールの外周面に当接することを意味している。多数の繊維の先端がリールの外周面を弾性的に摺動することにより、リールの外周面を清掃できる。
【００１７】
軸棒は、複数の回転ブラシを同軸上に配列してよく、各回転ブラシは、各リールと一対一に対応するように配列される。各回転ブラシは、独立して回転するように保持されてよく、軸受部材としてベアング又はオイルレスメタルを使用してもよい。又、各回転ブラシがスラスト（軸）方向に移動しないように、軸棒に規制部材（ストップ部材）を設けることが好ましい。
【００１８】
軸棒は、その伸長方向にリールユニットの横幅以上の長さを有してよく、軸棒の両端部に一対のアームの一端部が連結される。軸棒の両端部に一対のアームの一端部が連結されるとは、固定される態様を含んでよく、着脱自在に嵌合する態様を含むことができるが、少なくとも軸棒がスラスト方向に移動しないように連結される。
【００１９】
一対のアームの他端部には、継手が設けられてよく、例えば、この継手は固定子と回転子で構成される。そして、一対の固定子がリールユニットの両翼に固定され、回転子が一対のアームの他端部に固定される。回転子は、固定子と回動可能に連結してよく、軸棒に保持された複数の回転ブラシを複数のリールに当接又は離間するように回動できる。固定子に対し、回転子が所定の角度以上に開角しないように、回転子の回動角度を規制することが好ましい。
【００２０】
回転ブラシがリールに当接しているときは、すなわち清掃中は、回転ブラシがリールの上部に位置していることが好ましく、表示窓を介して複数の図柄を視認できる。回転ブラシがリールから離間しているときは、すなわち不使用時は、回転ブラシをリールユニットの後方に回動して退避できる。
【００２１】
回転ブラシがリールの外周面に一定の荷重を与えるとは、直接接触により摩擦を利用する摩擦伝動装置の要件であるが、一定の荷重に回転ブラシの自重を含めることもできる。回転ブラシがリールの外周面を強く押すと、リール外周面を傷つけるので、一対のアームの他端部にバランサー（重し）を設けて、適宜な荷重とすることが好ましい。
【００２２】
そして、（１）の発明による遊技機は、回転ブラシがリールの外周面の回転に追従して、回転するので、リールの外周面に付着した埃を除去し、リールの外周面を清掃できる。ブラシの繊維が弾性復帰するときに、その先端の反発で埃を除去するからである。ブラシの繊維としては、永久変形しない素材が好ましいが、ブラシの繊維が全周に亘りリールの外周面に圧接するので、永久変形を分散できるとも考えられる。すなわち、耐久性のある清掃装置を提供できる。
【００２３】
又、（１）の発明による遊技機は、清掃装置にブラシを駆動する駆動装置を用いること無く、複数の回転ブラシ、軸棒、及び一対のアームで構成される簡易なリンク機構で清掃装置を実現している。（１）の発明による遊技機は、遊技中であっても前面扉を開けて直ちに清掃装置を使用することができるという利点がある。
【００２４】
このように、（１）の発明による遊技機は、回転ブラシがリールの外周面に一定の荷重を与えて当接し、リールの外周面の回転が摩擦伝動されて従動回転するように配置されているので、耐久性がある清掃装置を備える遊技機を提供できる。又、（１）の発明による遊技機は、簡易な構成の清掃装置を実現している。
【００２５】
（２）  前記回転ブラシの外周には、比較的短い多数の繊維を放射状に植設していることを特徴とする（１）記載の遊技機。
【００２６】
例えば、回転ブラシの繊維の太さは、化粧用の柔らかいブラシに用いる生糸の太さ１０デニール（約Φ４０μｍ）以下が好ましいと考えられ、この太さ以下の繊維を例えば２ｍｍ以下の短い長さで回転ブラシに植設することにより、回転ブラシの繊維に作用する弾性的な反りが従来と比較して小さくなる。これにより、回転ブラシの繊維の永久変形が防止できる。このように、（２）の発明による遊技機は、リールに圧接する回転ブラシの繊維の永久変形が防止可能な清掃装置を提供できる。
【００２７】
（３）  前記回転ブラシの外周には、比較的短い多数の繊維を螺旋状に植設していることを特徴とする（１）記載の遊技機。
【００２８】
（３）の発明による遊技機は、リールに圧接する回転ブラシの外周には、比較的短い多数の繊維を螺旋状に植設しているので、回転ブラシには、ラジアル荷重とスラスト荷重が作用する。そして、前述のように各回転ブラシがスラスト（軸）方向に移動しないように、軸棒に規制部材を設けることにより、リールの外周面を周方向にも軸方向にも重複して清掃できる。
【００２９】
（４）  外周面に図柄を配列して回転する複数のリールを有するリールユニットを備える遊技機であって、前記複数のリールの外周面を清掃する清掃装置を備え、前記清掃装置は、前記リールの外周面に当接する複数の回転ローラと、この回転ローラの外周に巻回された清掃シートと、前記複数の回転ローラを同軸上に配列して回転可能に保持する軸棒と、一端部が前記軸棒の両端部に連結し、他端部が前記リールユニットの両翼に回動可能に連結する一対のアームと、を有し、前記回転ローラは、前記リールの外周面に一定の荷重を与えて当接し、当該リールの外周面の回転が摩擦伝動されて従動回転するように配置されていることを特徴とする遊技機。
【００３０】
（４）の発明による遊技機は、リールユニットと清掃装置を備えている。リールユニットは、外周面に図柄を配列して回転する複数のリールを有している。清掃装置は、複数のリールの外周面を清掃する。そして、清掃装置は、複数の回転ローラ、清掃シート、軸棒、及び一対のアームを有している。回転ローラは、リールの外周面に当接する。清掃シートは、回転ローラの外周に巻回されている。軸棒は、複数の回転ローラを同軸上に配列して回転可能に保持している。一対のアームは、一端部が軸棒の両端部に連結し、他端部がリールユニットの両翼に回動可能に連結している。回転ローラは、リールの外周面に一定の荷重を与えて当接し、リールの外周面の回転が摩擦伝動されて従動回転するように配置されている。
【００３１】
例えば、回転ローラには、直円柱状のローラの外周に合成樹脂製の繊維が織られた清掃シートが巻回されてよく、外観として、直円柱状に形成される。清掃シートは、不織布であってもよい。回転ローラはリールの外周面に当接するとは、清掃シートの外面がリールの外周面に当接することを意味している。清掃シートの外面がリールの外周面を摺動することにより、リールの外周面を清掃できる。
【００３２】
軸棒は、複数の回転ローラを同軸上に配列してよく、各回転ローラは、各リールと一対一に対応するように配列される。各回転ローラは、独立して回転するように保持されてよく、軸受部材としてベアング又はオイルレスメタルを使用してもよい。又、各回転ローラがスラスト（軸）方向に移動しないように、軸棒に規制部材（ストップ部材）を設けることが好ましい。
【００３３】
回転ブラシがリールに当接しているときは、すなわち清掃中は、回転ブラシがリールの上部に位置していることが好ましく、表示窓を介して複数の図柄を視認できる。回転ブラシがリールから離間しているときは、すなわち不使用時は、回転ブラシをリールユニットの後方に回動して退避できる。
【００３４】
回転ブラシがリールの外周面に一定の荷重を与えるとは、直接接触により摩擦を利用する摩擦伝動装置の要件であるが、一定の荷重に回転ブラシの自重を含めることもできる。回転ブラシがリールの外周面を強く押すと、リール外周面を傷つけるので、一対のアームの他端部にバランサー（重し）を設けて、適宜な荷重とすることが好ましい。
【００３５】
そして、（４）の発明による遊技機は、清掃シートを巻回した回転ローラがリールの外周面の回転に追従して、回転するので、リールの外周面に付着したヤニや埃を除去し、リールの外周面を清掃できる。清掃シートの外面の繊維がヤニや埃を除去するからである。清掃シートが全周に亘りリールの外周面に圧接するので、相対的に清掃面積が大きくなったとも考えられる。すなわち、効率のよい耐久性のある清掃装置を提供できる。
【００３６】
（５）  前記清掃シートは、洗浄成分を含侵していることを特徴とする（４）記載の遊技機。
【００３７】
例えば、洗浄成分には、酸化チタンなどの光触媒成分や微生物の繁殖を阻止するための銀錯体などの無機系又は有機系抗菌剤成分を含んでよい。長期にわたるリールの耐汚染性や清潔性を更に向上させ、定期的な清掃作業の頻度を少なくできる。
【発明の効果】
【００３８】
本発明による遊技機は、回転ブラシ又は回転ローラがリールの外周面に一定の荷重を与えて当接し、リールの外周面の回転が摩擦伝動されて従動回転するように配置されているので、耐久性がある清掃装置を備える遊技機を提供できる。又、本発明による遊技機は、簡易な構成の清掃装置を実現している。
【発明を実施するための最良の形態】
【００３９】
以下、図面を参照して本発明を実施するための最良の形態を説明する。
【００４０】
図１は、本発明による遊技機の一実施形態を示す正面図である。図２は、前記実施形態による遊技機の筐体の内部構造を示す斜視外観図であり、前面扉を開けた状態図である。
【００４１】
図３は、前記実施形態による遊技機に備わるリールユニットの斜視外観図である。図４は、前記実施形態による遊技機に備わるリールユニットの正面図である。図５は、前記実施形態による遊技機に備わるリールユニットの平面図である。図６は、前記実施形態による遊技機に備わるリールユニットの右側面図であり、要部を断面で示している。図７は、前記実施形態による遊技機に備わるリールユニットにおける別の実施形態を示す平面図である。図８は、前記実施形態による遊技機に備わるリールユニットにおける更に別の実施形態を示す斜視外観図である。
【００４２】
最初に、本発明による遊技機の構成を説明する。図１及び図２において、本体１２は、遊技機１０の外周を覆っている。遊技機１０は、筐体１１と、筐体１１を開閉する前面扉１３と、を備えている。そして、筐体１１の内部にリールユニット５０が配置されている。筐体１１の内部は、棚４３で上下に仕切られており、棚４３にリールユニット５０が載置されている。
【００４３】
図２において、棚４３の下方には、投入された遊技メダルを収納、又は遊技メダルを遊技メダル受け皿４０に払い出すホッパー４５や、還元率設定スイッチ７２を含む電源ボックス４６が配置されている。棚４３の上方には、遊技機１０を制御するメイン基板（プリント基板）及びサブ基板（プリント基板）を含む制御盤４７などが配置されている。
【００４４】
図１又は図２において、前面扉１３に形成される正面パネル２２には、矩形状の表示窓１４が設けられている。表示窓１４は、個別の表示窓１４Ｌ・１４Ｃ・１４Ｒに区画されている。リールユニット５０には、リールケース５１を有し、このリールケース５１には、各々の外周面に複数種類の図柄が描かれた３個のリール２６Ｌ・２６Ｃ・２６Ｒが回転自在に設けられている。リール２６Ｌ・２６Ｃ・２６Ｒの各々は、表示窓１４を介して観察可能に配置されている。
【００４５】
図１において、表示窓１４の下方右側には、略水平の台座部２８が設けられており、その上面右側には、遊技者が遊技媒体である遊技メダルを入れるための投入口２５が設けられている。ここで、遊技メダルは、コイン、メダル、又はトークンと称される代用貨幣である。
【００４６】
図１において、台座部２８の上面左側には、押しボタン操作による三つのＢＥＴスイッチ２９・３０・３１が配置されている。ＢＥＴスイッチ２９は、１回の遊技に１枚の遊技メダルを賭けられる。ＢＥＴスイッチ３０は、１回の遊技に２枚の遊技メダルを賭けられる。ＢＥＴスイッチ３１は、１回の遊技に３枚の遊技メダルを賭けられる。台座部２８の前面の左側には、スタートレバー３２が傾動可能に設けられている。スタートレバー３２を遊技者が傾動操作することにより、三つのリール２６Ｌ・２６Ｃ・２６Ｒの回転が一斉に開始される。３つのリール２６Ｌ・２６Ｃ・２６Ｒが回転したときには、リール２６Ｌ・２６Ｃ・２６Ｒの各々の外周面に描かれている複数の図柄が、表示窓１４において変動表示される。
【００４７】
図１において、台座部２８の前面の中央には、３個のリール停止ボタン３４Ｌ・３４Ｃ・３４Ｒが設けられている。リール停止ボタン３４Ｌはリール２６Ｌに対応し、リール停止ボタン３４Ｃはリール２６Ｃに対応し、リール停止ボタン３４Ｒはリール２６Ｒに対応している。リール停止ボタン３４Ｌを遊技者が押動操作したときには、リール２６Ｌが停止し、リール停止ボタン３４Ｃを遊技者が押動操作したときには、リール２６Ｃが停止し、リール停止ボタン３４Ｒを遊技者が押動操作したときには、リール２６Ｒが停止する。
【００４８】
図１において、スタートレバー３２の左側には、払出しボタン３６が設けられている。遊技者が払出しボタン３６を押動操作したときには、投入されている遊技メダルが正面下部の遊技メダル払出口３８から払い出され、払い出された遊技メダルは遊技メダル受け皿４０に溜められる。
【００４９】
図１において、表示窓１４には、横に３本（中央及び上下）及び斜めに２本の入賞ラインが設けられている。ゲーム開始に先立って、遊技者が投入口２５から１枚の遊技メダルを投入したときは中央の入賞ラインだけが有効化され、２枚の遊技メダルを投入したとき、これに上下の入賞ラインが加わり、３枚の遊技メダルを投入したとき、全ての入賞ラインが有効化される。このような入賞ラインの有効化は、各入賞ラインの両端に配置された有効化ライン表示ランプ（図示せず）が点灯することにより、遊技者に表示される。
【００５０】
次に、本発明による遊技機に備わるリールユニット５０の構成を説明する。図２から図５において、リールユニット５０は、三つのリール２６Ｌ・２６Ｃ・２６Ｒとリールケース５１と略箱状のリールカバー５２と、を備えている。リール２６Ｌ・２６Ｃ・２６Ｒは、各外周面に複数種類の図柄を表示している。リールケース５１は、三つのリール２６Ｌ・２６Ｃ・２６Ｒを軸方向に並列配置している。リールカバー５２は、リールケース５１に着脱する。
【００５１】
図２から図５において、又、リールカバー５２には３つの矩形状の湾曲した開口５２Ａ・５２Ｂ・５２Ｃが形成されている。これら開口５２Ａ・５２Ｂ・５２Ｃは、リール２６Ｌ・２６Ｃ・２６Ｒに対応付けられている。したがって、これら開口５２Ａ・５２Ｂ・５２Ｃを介してリール２６Ｌ・２６Ｃ・２６Ｒを視認できる。又、リールケース５１の両翼には一対の把持部５１Ａ・５１Ｂが形成され、リールユニット５０を筐体１１から取り出す際には、一対の把持部５１Ａ・５１Ｂを把持して、リールユニット５０を棚４３から引き出すことができる。
【００５２】
なお、図２から図４に示すように、リールケース５１には、下側に屈折するフランジ５１Ｃが設けられている。リールユニット５０を棚４３に載置した後には、フランジ５１Ｃが棚４３の前面端に当接するまでリールユニット５０を押し込むことができる。
【００５３】
図３から図５において、３つのリール２６Ｌ・２６Ｃ・２６Ｒはその一部がリールケース５１内に支持、収納などにより配置されている。又、リールケース５１内には、各リール２６Ｌ・２６Ｃ・２６Ｒを回転駆動するモータ（図示せず）が配置されている。そして、これらリール２６Ｌ・２６Ｃ・２６Ｒの外周面は清掃装置８０によって清掃することができる。
【００５４】
次に、本発明による遊技機に備わる清掃装置の構成を説明する。図３から図５において、清掃装置８０は、３つの回転ブラシ８１Ｌ・８１Ｃ・８１Ｒを備え、これら回転ブラシ８１Ｌ・８１Ｃ・８１Ｒは、それぞれリール２６Ｌ・２６Ｃ・２６Ｒの外周面に当接している。具体的には、リールユニット５０は、リールケース５１とリールカバー５２との間に軸方向に延びる開口が規定され、この開口からリール２６Ｌ・２６Ｃ・２６Ｒの外周面が露出した状態となっている。この開口に沿って軸棒８１が配置されている。そして、３つの回転ブラシ８１Ｌ・８１Ｃ・８１Ｒが軸棒８１に同軸上に配列されて回転可能に保持されている。
【００５５】
図３から図５において、軸棒８２の両端部には、一対のアーム８３Ａ・８３Ｂが連結されている。一対のアーム８３Ａ・８３Ｂの他端部は、それぞれリールケース５１の両翼（側面）に回動可能に連結されている。そして、回転ブラシ８１Ｌ・８１Ｃ・８１Ｒは、リール２６Ｌ・２６Ｃ・２６Ｒの外周面に一定の荷重で当接している。そして、リール２６Ｌ・２６Ｃ・２６Ｒの外周面の回転が回転ブラシ８１Ｌ・８１Ｃ・８１Ｒに摩擦伝動されて、回転ブラシ８１Ｌ・８１Ｃ・８１Ｒは従動回転する。
【００５６】
なお、回転ブラシ８１Ｌ・８１Ｃ・８１Ｒはリール２６Ｌ・２６Ｃ・２６Ｒの外周面に一定の荷重で当接して、直接接触による摩擦伝動によって従動回転するが、回転ブラシ８１Ｌ・８１Ｃ・８１Ｒ自体の自重によって一定の荷重でリール２６Ｌ・２６Ｃ・２６Ｒの外周面に一定の荷重で当接させる。そして、回転ブラシ８１Ｌ・８１Ｃ・８１Ｒがリール２６Ｌ・２６Ｃ・２６Ｒの外周面を強く押すと、リール２６Ｌ・２６Ｃ・２６Ｒの外周面を傷つけることにもなるので、アーム８３Ａ及び８３Ｂの他端部にそれぞれバランサー（重し：図示せず）を設けて、適宜な荷重に調節することが好ましい。
【００５７】
次に、本発明による遊技機に備わる清掃装置の作用を説明する。図４において、回転ブラシ８１Ｃに注目すると、回転ブラシ８１Ｃは、直円柱状のローラ８４を有し、軸棒８２がローラ８４を貫通している。ローラ８４の外周面に亘って、例えば、合成樹脂製の多数の繊維８５が植設されて回転ブラシ８１ｃが構成されている。そして、多数の繊維８５の先端が弾性をもって、リール２６Ｃの外周面に当接し、多数の繊維８５の先端がリール２６Ｃの外周面を弾性的に摺動して、リール２６Ｃの外周面を清掃できる。
【００５８】
前述の繊維８５は、例えば、その長さが比較的短く、ローラ８４の外周面から径方向外側に広がって放射状に植設されている。繊維８５の太さは、化粧用の柔らかいブラシに用いる生糸の太さ１０デニール（約Φ４０μｍ）以下が好ましく、この太さ以下の繊維を、例えば、２ｍｍ以下の短い長さでローラ８４の外周面に植設すれば、繊維８５に作用する弾性的な反りが従来と比較して小さくなることがわかった。そして、この結果、繊維８５の永久変形が防止できることになる。
【００５９】
図４において、回転ブラシ８１Ｃのローラ８４の両翼には、一対の軸受部材（例えば、ベアリング又はオイルレスメタル）８５Ａ・８５Ｂが配設されている。回転ブラシ８１Ｃは、一対の軸受部材８５Ａ・８５Ｂを介して軸棒８２に回転可能に保持されている。又、回転ブラシ８１Ｃがスラスト（軸）方向に移動しないように、回転ブラシ８１Ｃの両端において軸棒８２には一対の規制部材（ストップ部材、例えば、リング体）８５Ｃ・８５Ｄが設けられている。なお、回転ブラシ８１Ｌ及び回転ブラシ８１Ｒも回転ブラシ８１Ｃと同様の構成となっている。
【００６０】
図４に示すように、軸棒８２は、リールユニット５０（つまり、リールケース５１）の横幅以上の長さを有しており、前述のように、軸棒８２の両端部に一対のアーム８３Ａ・８３Ｂの一端部が連結されている。例えば、軸棒８２の両端部は、一対のアーム８３Ａ・８３Ｂの一端部に固定される。なお、軸棒８２の両端部は、一対のアーム８３Ａ・８３Ｂの一端部に着脱自在に連結しているので、消耗した回転ブラシ８１Ｌ・８１Ｃ・８１Ｒを新たな回転ブラシ８１Ｌ・８１Ｃ・８１Ｒに交換できる。
【００６１】
図３から図５において、一対のアーム８３Ａ・８３Ｂの他端部には、一対の継手８６Ａ・８６Ｂが設けられている。一対の継手８６Ａ・８６Ｂは、一対の回転子８７Ａ・８７Ｂと一対の固定子８８Ａ・８８Ｂとでそれぞれ構成されている。そして、一対の回転子８７Ａ・８７Ｂは、一対のアーム８３Ａ・８３Ｂの他端部にそれぞれ固定されている。又、一対の固定子８８Ａ・８８Ｂはリールケース５１の両翼にそれぞれ固定されている。一対の回転子８７Ａ・８７Ｂは、一対の固定子８８Ａ・８８Ｂに回動可能にそれぞれ連結している。これによって、軸棒８２に保持された回転ブラシ８１Ｌ・８１Ｃ・８１Ｒをリール２６Ｌ・２６Ｃ・２６Ｒに当接又は離間するように回動させることができる。
【００６２】
具板的には、図６に示すように、リール２６Ｌ・２６Ｃ・２６Ｒの外周面を清掃する際には、一対の回転子８７Ａ・８７Ｂに結合する一対のアーム８３Ａ・８３Ｂを一対の固定子８８Ａ・８８Ｂに対して一方の方向に回動させて、回転ブラシ８１Ｌ・８１Ｃ・８１Ｒをリール２６Ｌ・２６Ｃ・２６Ｒに図中実線で示す状態に当接させる。この際には、前述したように、回転ブラシ８１Ｌ・８１Ｃ・８１Ｒはリール２６Ｌ・２６Ｃ・２６Ｒの上部に位置しているから、表示窓１４Ｌ・１４Ｃ・１４Ｒを介して、リール２６Ｌ・２６Ｃ・２６Ｒ上の図柄を容易に視認できる。
【００６３】
一方、一対の回転子８７Ａ・８７Ｂに結合する一対のアーム８３Ａ・８３Ｂを一対の固定子８８Ａ・８８Ｂに対して他方の方向に回動させて、回転ブラシ８１Ｌ・８１Ｃ・８１Ｒをリール２６Ｌ・２６Ｃ・２６Ｒから離間した位置（図中二点鎖線で示す状態）に退避できる。この状態では、回転ブラシ８１Ｌ・８１Ｃ・８１Ｒは、リールケース５１の後方に退避するから、回転ブラシ８１Ｌ・８１Ｃ・８１Ｒによって、リール２６Ｌ・２６Ｃ・２６Ｒ上の図柄の視認を妨げない。
【００６４】
一対の回転子８７Ａ・８７Ｂに結合する一対のアーム８３Ａ・８３Ｂは、一対の固定子８８Ａ・８８Ｂに対する回転角度は予め規制されており、回転子８７Ａ・８７Ｂが所定の角度以上に開角しないように、一対のアーム８３Ａ・８３Ｂの回動角度が規制される。例えば、図３又は図６に示すように、円板状の固定子８８Ａは、中心に開角する扇状の切り欠き部８９が形成されており、切り欠き部８９の開角範囲で一対のアーム８３Ａ・８３Ｂが回動することになる。
【００６５】
つまり、切り欠き部８９の一面にアーム８３Ａの他端部が当接した状態で、回転ブラシ８１Ｌ・８１Ｃ・８１Ｒはリール２６Ｌ・２６Ｃ・２６Ｒに当接した位置となり、切り欠き部８９の他面にアーム８３Ａの他端部が当接した状態で、回転ブラシ８１Ｌ・８１Ｃ・８１Ｒはリール２６Ｌ・２６Ｃ・２６Ｒから離間した位置となる。なお、図示されていないが、固定子８８Ｂにも固定子８８Ａと同様の切り欠き部８９が形成されている。
【００６６】
このように、本実施の形態による遊技機１では、回転ブラシ８１Ｌ・８１Ｃ・８１Ｒがリール２６Ｌ・２６Ｃ・２６Ｒの外周面の回転に追従して回転するので、リール２６Ｌ・２６Ｃ・２６Ｒの外周面に付着した埃を確実に除去して、リール２６Ｌ・２６Ｃ・２６Ｒの外周面を清掃できる。
【００６７】
このように、本実施形態による遊技機に備わる清掃装置８０は、回転ブラシ８１Ｌ・８１Ｃ・８１Ｒの繊維８５が弾性復帰するときに、その先端の反発で埃を除去することができる。そして、繊維８５が全周に亘ってリール２６Ｌ・２６Ｃ・２６Ｒの外周面に当接するので、これによって、繊維８５の永久変形が分散でき、耐久性のある清掃装置８０を提供できる。
【００６８】
更に、清掃装置８０では回転ブラシ８１Ｌ・８１Ｃ・８１Ｒがリール２６Ｌ・２６Ｃ・２６Ｒに対して従動回転するから、回転ブラシ８１Ｌ・８１Ｃ・８１Ｒを駆動するための駆動装置を用いる必要がない。そして、回転ブラシ８１Ｌ・８１Ｃ・８１Ｒ、軸棒８２、及び一対のアーム８３Ａ・８３Ｂで構成される簡易なリンク機構で清掃装置が実現できることになって、遊技中であっても前面扉１３を開けて、回転ブラシ８１Ｌ・８１Ｃ・８１Ｒをリール２６Ｌ・２６Ｃ・２６Ｒの外周面に当接させるだけで、直ちに清掃装置８０を使用することができる。
【００６９】
一方、別の実施形態による清掃装置では、回転ブラシ８１Ｌ・８１Ｃ・８１Ｒにおいて、ローラの外周に比較的短い多数の繊維８５を螺旋状に植設してリボンスクリュー状の螺旋体８５１を形成するようにしてもよい（図７参照）。このように、比較的短い多数の繊維８５を螺旋状に植設して螺旋体８５１を形成するようにすれば、繊維８５が螺旋状に形成されているので、回転ブラシ８１Ｌ・８１Ｃ・８１Ｒには、ラジアル荷重とスラスト荷重がともに作用することになる。そして、前述のように、回転ブラシ８１Ｌ・８１Ｃ・８１Ｒがスラスト（軸）方向に移動しないように、軸棒８２に規制部材が設けられているので、リール２６Ｌ・２６Ｃ・２６Ｒの外周面を周方向にも軸方向にも重複して清掃することができる。
【００７０】
又、更に別の実施形態による清掃装置では、図８に示すように、回転ブラシ８１Ｌ・８１Ｃ・８１Ｒの代わりに、直円柱状の回転ローラ９０Ｌ・９０Ｃ・９０Ｒを備えるようにしてもよい。これら回転ローラ９０Ｌ・９０Ｃ・９０Ｒは、それぞれリール２６Ｌ・２６Ｃ・２６Ｒの外周面に当接し、回転ローラ９０Ｌ・９０Ｃ・９０Ｒの外周には清掃シート９１Ｌ・９１Ｃ・９１Ｒが巻回されている。なお、他の構成は図３から図５で説明した清掃装置８０と同様であり、同一の構成要素には同一の参照番号が付されている。そして、回転ローラ９０Ｌ・９０Ｃ・９０Ｒは、リール２６Ｌ・２６Ｃ・２６Ｒの外周面に一定の荷重を与えて当接し、リール２６Ｌ・２６Ｃ・２６Ｒの外周面の回転が摩擦伝動されて従動回転する。
【００７１】
例えば、清掃シート９１Ｌ・９１Ｃ・９１Ｒは合成樹脂製の繊維が織られたものである（不織布であってもよい）。そして、清掃シート９１Ｌ・９１Ｃ・９１Ｒの外面をリール２６Ｌ・２６Ｃ・２６Ｒの外周面に当接させれば、清掃シート９１Ｌ・９１Ｃ・９１Ｒの外面がリール２６Ｌ・２６Ｃ・２６Ｒの外周面を摺動する結果、リール２６Ｌ・２６Ｃ・２６Ｒの外周面を清掃することができる。
【００７２】
このようにして、図８に示す清掃装置８０を用いれば、清掃シート９１Ｌ・９１Ｃ・９１Ｒを巻回した回転ローラ９０Ｌ・９０Ｃ・９０Ｒがリール２６Ｌ・２６Ｃ・２６Ｒの外周面の回転に追従して回転するので、清掃シート９１Ｌ・９１Ｃ・９１Ｒの外面の繊維によって、リール２６Ｌ・２６Ｃ・２６Ｒの外周面に付着したヤニや埃を確実に除去して、リールの外周面を清掃することができる。又、清掃シート９１Ｌ・９１Ｃ・９１Ｒが全周に亘ってリール２６Ｌ・２６Ｃ・２６Ｒの外周面に圧接するので、相対的に清掃面積が大きくなり効率のよい耐久性のある清掃装置を提供できる。
【００７３】
更に、清掃シート９１Ｌ・９１Ｃ・９１Ｒには、洗浄成分を含侵させるようにしてもよい。例えば、洗浄成分には、酸化チタンなどの光触媒成分や微生物の繁殖を阻止するための銀錯体などの無機系又は有機系抗菌剤成分を含むことが好ましく、これによって、長期に亘ってリール２６Ｌ・２６Ｃ・２６Ｒの耐汚染性や清潔性を更に向上させ、定期的な清掃作業の頻度を少なくすることできる。
【図面の簡単な説明】
【００７４】
【図１】本発明による遊技機の一実施形態を示す正面図である。
【図２】前記実施形態による遊技機の筐体の内部構造を示す斜視外観図であり、前面扉を開けた状態図である。
【図３】前記実施形態による遊技機に備わるリールユニットの斜視外観図である。
【図４】前記実施形態による遊技機に備わるリールユニットの正面図である。
【図５】前記実施形態による遊技機に備わるリールユニットの平面図である。
【図６】前記実施形態による遊技機に備わるリールユニットの右側面図であり、要部を断面で示している。
【図７】前記実施形態による遊技機に備わるリールユニットにおける別の実施形態を示す平面図である。
【図８】前記実施形態による遊技機に備わるリールユニットにおける更に別の実施形態を示す斜視外観図である。
【符号の説明】
【００７５】
１０  遊技機
２６Ｌ・２６Ｃ・２６Ｒ  リール（複数のリール）
５０  リールユニット
８０  清掃装置
８１Ｌ・８１Ｃ・８１Ｒ  回転ブラシ（複数の回転ブラシ）
８２  軸棒
８３Ａ・８３Ｂ  アーム（一対のアーム）
【図１】
2009028241.tif 000003
【図２】
2009028241.tif 000004
【図３】
2009028241.tif 000005
【図４】
2009028241.tif 000006
【図５】
2009028241.tif 000007
【図６】
2009028241.tif 000008
【図７】
2009028241.tif 000009
【図８】
2009028241.tif 000010